(57)【要約】【課題】記録媒体のデータ全体、さらには記録媒体自体が複製された場合でもコンテンツの保護を図れる記録媒体、記録媒体書込装置、記録媒体読取装置、記録媒体書込方法、および記録媒体読取方法を提供する。【解決手段】所有権の対象である所有データに、暗号化コンテンツを復号化するための復号鍵データが埋め込まれた埋込済所有データ、が記録媒体に記録される。復号鍵データが所有データに埋め込まれているため、復号鍵データを所有データと分離して取り出すことが困難である。所有データをも含めてコピー等を行われたような場合に、所有データのコピー等を法的に追求することが可能となる。【選択図】図１
2005196926.tif 000002
【特許請求の範囲】
【請求項１】
所有権の対象である所有データに誤り訂正符号が付加された訂正符号付所有データに、暗号化コンテンツを復号化するための復号鍵データが埋め込まれた埋込済所有データ、
が記録されていることを特徴とする記録媒体。
【請求項２】
前記所有権が、著作権、商標権、および周知名称の少なくともいずれかを含む
ことを特徴とする請求項１記載の記録媒体。
【請求項３】
前記誤り訂正符号を用いて、前記埋込済所有データの誤り訂正処理を行うことで前記復号鍵データが破壊される
ことを特徴とする請求項１記載の記録媒体。
【請求項４】
前記埋込済所有データが、前記訂正符号付所有データ中の所有データの一部を前記復号鍵データで置換して生成される
ことを特徴とする請求項１記載の記録媒体。
【請求項５】
前記置換に先だって、前記訂正符号付所有データが第１の変調方式で変調され、前記復号鍵データが第１の変調方式と異なる第２の変調方式で変調される
ことを特徴とする請求項４記載の記録媒体。
【請求項６】
前記第１の変調方式と対応する第１の復調方式によって、前記埋込済所有データを復調することで、前記復号鍵データが破壊される
ことを特徴とする請求項５記載の記録媒体。
【請求項７】
前記埋込済所有データが、前記訂正符号付所有データ中の所有データの一部と前記復号鍵データとを演算処理した演算データを含む
ことを特徴とする請求項１記載の記録媒体。
【請求項８】
前記演算が、前記所有データの一部と前記復号鍵データとの加算である
ことを特徴とする請求項７記載の記録媒体。
【請求項９】
前記復号鍵データが、前記埋込済所有データ中に分散して配置されている
ことを特徴とする請求項１記載の記録媒体。
【請求項１０】
前記埋込済所有データが、前記埋込済所有データ中の復号鍵データの配置を表すデータを含む
ことを特徴とする請求項９記載の記録媒体。
【請求項１１】
前記復号鍵データの誤りを訂正するための鍵データ誤り訂正符号がさらに記録されている
ことを特徴とする請求項１記載の記録媒体。
【請求項１２】
前記鍵データ誤り訂正符号が、前記埋込済所有データに含まれる
ことを特徴とする請求項１１記載の記録媒体。
【請求項１３】
前記所有データが、前記記録媒体の再生時に確認されない確認不可データを含む
ことを特徴とする請求項１記載の記録媒体。
【請求項１４】
前記確認不可データが、前記暗号化コンテンツを復号化するための第２の復号鍵データとして機能する
ことを特徴とする請求項１３記載の記録媒体。
【請求項１５】
所有権の対象である所有データに、暗号化コンテンツを復号化するための復号鍵データが埋め込まれた埋込済所有データを生成する手段と、
前記生成された埋込済所有データを記録媒体に書き込む手段と、
を具備することを特徴とする記録媒体書込装置。
【請求項１６】
暗号化コンテンツを記録媒体から読み取る手段と、
所有権の対象である所有データに、暗号化コンテンツを復号化するための復号鍵データが埋め込まれた埋込済所有データを前記記録媒体から読み取る手段と、
前記読み取られた埋込済所有データから前記復号鍵データを分離する手段と、
前記分離された復号鍵データを用いて、前記読み取られた暗号化コンテンツを復号する手段と、
を具備することを特徴とする記録媒体読取装置。
【請求項１７】
所有権の対象である所有データに、暗号化コンテンツを復号化するための復号鍵データが埋め込まれた埋込済所有データを生成するステップと、
前記生成された埋込済所有データを記録媒体に書き込むステップと、
を具備することを特徴とする記録媒体書込方法。
【請求項１８】
暗号化コンテンツを記録媒体から読み取るステップと、
所有権の対象である所有データに、暗号化コンテンツを復号化するための復号鍵データが埋め込まれた埋込済所有データを前記記録媒体から読み取るステップと、
前記読み取られた埋込済所有データから前記復号鍵データを分離するステップと、
前記分離された復号鍵データを用いて、前記読み取られた暗号化コンテンツを復号するステップと、
を具備することを特徴とする記録媒体読取方法。
【発明の詳細な説明】
【技術分野】
【０００１】
本発明は、映像、音声等種々のコンテンツを記録する記録媒体、記録媒体書込装置、記録媒体読取装置、記録媒体書込方法、および記録媒体読取方法に関する。
【背景技術】
【０００２】
ＣＤ（Compact Disk）、ＤＶＤ（Digital Versatile Disk）等の記録媒体は、映像、音声、文章等種々のコンテンツの保存、配布等に用いられる。即ち、記録媒体にコンテンツを記録して保存し、配布することができる。
ここで、コンテンツは一般に著作物であり、違法なコピーを防止する必要があるため、著作権保護技術が用いられる。
このために、コンテンツを暗号化して記録媒体に記録することが一般的に行われる。コンテンツを再生する際に暗号鍵を用いてコンテンツの暗号を解除する。このようにすると、暗号鍵が秘匿状態である限り、コンテンツを再生することができない。暗号鍵を秘匿状態とするには、暗号鍵自体を暗号化して記録媒体に記録させておけばよい。
この手法では記録媒体に記録されたデータ全体（暗号化コンテンツ、暗号化された暗号鍵の双方を含む）を他の記録媒体にコピーされた場合に対応することはできない。
そこで、記録型光ディスクにおいて、通常のデータ記録再生領域とは別個に、光ディスク上の反射膜をストライプ状に除去することでディスク識別情報を記録する再生専用のディスク識別情報領域を設ける技術が開示されている（特許文献１参照）。
【特許文献１】特開２００１-１８９０１５号公報
【発明の開示】
【発明が解決しようとする課題】
【０００３】
しかしながら、上記技術は記録媒体そのものをコピーすることで回避される可能性がある。
上記に鑑み、本発明は記録媒体のデータ全体、さらには記録媒体自体が複製された場合でもコンテンツの保護を図れる記録媒体、記録媒体書込装置、記録媒体読取装置、記録媒体書込方法、および記録媒体読取方法を提供することを目的とする。
【課題を解決するための手段】
【０００４】
Ａ．上記目的を達成するために、本発明に係る記録媒体は、所有権の対象である所有データに誤り訂正符号が付加された訂正符号付所有データに、暗号化コンテンツを復号化するための復号鍵データが埋め込まれた埋込済所有データ、が記録されていることを特徴とする。
復号鍵データが所有データに埋め込まれているため、復号鍵データを得ることが困難である。埋込済所有データから復号鍵データを取り出すことなくコンテンツのコピー等を行おうとすれば所有データをも含めてコピー等を行う必要がある。このような場合に、所有データのコピー等を法的に追求することが可能となり、例えば、記録媒体に記録されたデータ全体、記録媒体自体の不法コピーへの対応が容易になる。
【０００５】
（１）前記所有権の例として、著作権、商標権、および周知名称を挙げることができる。
所有データが著作物性を有する、例えば、映像、音声のデータであれば、所有データのコピー等を著作権侵害として法的責任を追及することが可能となる。
また、所有データが商標的機能を発揮する場合に商標権侵害、あるいは不正競争防止法に基づく不法行為として法的責任を追及することができる。商標的機能を発揮する場合として、記録媒体を再生装置（ディスクドライブ等）にセットしたときに、記録媒体の製造業者の商標の図柄が再生される場合を挙げることができる。販売店でデモしたようなときに、結果として、所有データが顧客に商標として認識されることになるからである。この場合、所有データを含めたデータ全体をコピーした記録媒体を販売することは、商標権の侵害を構成し得る。
【０００６】
（２）前記誤り訂正符号を用いて、前記埋込済所有データの誤り訂正処理を行うことで前記復号鍵データが破壊されるようにすることができる。
即ち、誤り訂正処理を行った埋込済所有データから復号鍵データが得られることの無いようにして、復号鍵データの秘密性を保つことができる。所有データのみから誤り訂正符号を作成すると、この誤り訂正符号を用いて誤り訂正をした場合に埋込済所有データから元の所有データが再現され、復号鍵データは消失する。この結果、再生装置からの通常の出力に復号鍵データの情報が含まれないようにすることができる。
【０００７】
復号鍵データの分離には誤り訂正処理を利用することができる。即ち、誤り訂正処理工程中で検出されるエラーパターンから復号鍵データを再現できる。また、訂正前後の埋込済所有データを比較することで、復号鍵データを再生することもできる。
【０００８】
（３）前記埋込済所有データが、前記訂正符号付所有データ中の所有データの一部を前記復号鍵データで置換して生成されてもよい。
所有データの一部を前記復号鍵データで置換することで、復号鍵データの埋め込みを行える。
【０００９】
ここで、前記置換に先だって、前記訂正符号付所有データが第１の変調方式で変調され、前記復号鍵データが第１の変調方式と異なる第２の変調方式で変調されても差し支えない。
即ち、前記第１の変調方式と対応する第１の復調方式によって、前記埋込済所有データを復調すると、前記復号鍵データが破壊されるようにすることができる。この結果、所有データやコンテンツ等の主情報を復号する主情報用復号器から出力される復調データから復号鍵データを抽出することが困難となる。
なお、復号鍵データを得るには、第２の変調方式に対応する第２の復調方式によって埋込済所有データを復調すればよい。
【００１０】
（４）前記埋込済所有データが、前記訂正符号付所有データ中の所有データの一部と前記復号鍵データとを演算処理した演算データを含んでもよい。
データ同士の演算を利用して、復号鍵データの埋め込みを行える。
この演算には、例えば、前記所有データの一部と前記復号鍵データとの加算を用いることができる。なお、演算としては積算等他の演算を用いることも可能である。
このようにデータ同士の演算を行うことで、復号鍵データの隠蔽を強固なものとすることができる。即ち、第３者が埋込済所有データ中から復号鍵データ自体を直接的に分離することが困難になる。
【００１１】
（５）前記復号鍵データが、前記埋込済所有データ中に分散して配置されていてもよい。
復号鍵データを分散して配置することで、第３者による復号鍵データの入手を困難ならしめることができる。
ここで、前記埋込済所有データが、前記埋込済所有データ中の復号鍵データの配置を表すデータを含んでも差し支えない。このデータを用いて、復号鍵データを分離するための位置を確定できる。
【００１２】
（６）記録媒体に前記復号鍵データの誤りを訂正するための鍵データ誤り訂正符号がさらに記録されていてもよい。
何らかの原因で記録された復号鍵データに誤りが生じた場合に対応することができる。
ここで、前記鍵データ誤り訂正符号が、前記埋込済所有データに含まれていても差し支えない。
埋め込む復号鍵データ自体には誤り訂正符号が付加されないことから、訂正符号付所有データに埋め込まれるデータ量を低減できる。訂正符号付所有データへのデータの埋め込みは、訂正符号付所有データに誤り（エラー）を生じさせることとなり、大量のデータ量の埋め込みは好ましくないからである。
【００１３】
（７）前記所有データが、前記記録媒体の再生時に確認されない確認不可データを含んでもよい。
ここで、「確認不可」とは、記録媒体を再生した映像、または音声を視聴したときに、映像、または音声として表れないか、あるいは表れたとしても意味のないノイズとして認識されることをいう。即ち、この確認不可データは、いわゆる不可視のウォータマーク（Water Mark）として機能する。
このような確認不可データを用いると記録媒体を不正にコピーしたような場合の追跡を容易ならしめることができる。即ち、記録媒体をコピーすると確認不可データもコピーされ、元データの出所の確認が容易となる。
【００１４】
前記確認不可データが、前記暗号化コンテンツを復号化するための第２の復号鍵データとして機能しても差し支えない。復号鍵データを組み合わせて暗号化コンテンツを復号することで、第３者による暗号の解除を困難ならしめることができる。
このようにして、確認不可データをデータの出所の確認およびコンテンツの暗号・復号に利用することができる。
【００１５】
Ｂ．本発明に係る記録媒体書込装置は、所有権の対象である所有データに、暗号化コンテンツを復号化するための復号鍵データが埋め込まれた埋込済所有データを生成する手段と、前記生成された埋込済所有データを記録媒体に書き込む手段と、を具備することを特徴とする。
記録媒体書込装置を用いて、所有データに復号鍵データが埋め込まれた埋込済所有データが記録された記録媒体を作成することができる。その結果、記録媒体に記録されたデータ全体、記録媒体自体の不法コピーへの対応が容易になる。
【００１６】
Ｃ．本発明に係る記録媒体読取装置は、暗号化コンテンツを記録媒体から読み取る手段と、所有権の対象である所有データに、暗号化コンテンツを復号化するための復号鍵データが埋め込まれた埋込済所有データを前記記録媒体から読み取る手段と、前記読み取られた埋込済所有データから前記復号鍵データを分離する手段と、前記分離された復号鍵データを用いて、前記読み取られた暗号化コンテンツを復号する手段と、を具備することを特徴とする。
記録媒体読取装置を用いて、所有データに復号鍵データが埋め込まれた埋込済所有データが記録された記録媒体からコンテンツを再生することができる。その結果、記録媒体に記録されたデータ全体、記録媒体自体の不法コピーへの対応が容易になる。
【００１７】
Ｄ．本発明に係る記録媒体書込方法は、所有権の対象である所有データに、暗号化コンテンツを復号化するための復号鍵データが埋め込まれた埋込済所有データを生成するステップと、前記生成された埋込済所有データを記録媒体に書き込むステップと、を具備することを特徴とする。
記録媒体書込方法を用いて、所有データに復号鍵データが埋め込まれた埋込済所有データが記録された記録媒体を作成することができる。その結果、記録媒体に記録されたデータ全体、記録媒体自体の不法コピーへの対応が容易になる。
【００１８】
Ｅ．本発明に係る記録媒体読取方法は、暗号化コンテンツを記録媒体から読み取るステップと、所有権の対象である所有データに、暗号化コンテンツを復号化するための復号鍵データが埋め込まれた埋込済所有データを前記記録媒体から読み取るステップと、前記読み取られた埋込済所有データから前記復号鍵データを分離するステップと、前記分離された復号鍵データを用いて、前記読み取られた暗号化コンテンツを復号するステップと、を具備することを特徴とする。
記録媒体読取方法を用いて、所有データに復号鍵データが埋め込まれた埋込済所有データが記録された記録媒体からコンテンツを再生することができる。その結果、記録媒体に記録されたデータ全体、記録媒体自体の不法コピーへの対応が容易になる。
【発明の効果】
【００１９】
以上説明したように、本発明によれば記録媒体のデータ全体、さらには記録媒体自体が複製された場合でもコンテンツの保護を図れる記録媒体、記録媒体書込装置、記録媒体読取装置、記録媒体書込方法、および記録媒体読取方法を提供できる。
【発明を実施するための最良の形態】
【００２０】
以下、図面を参照して、本発明の実施の形態を詳細に説明する。
（第１の実施形態）
Ａ．記録媒体
図１は、本発明の第１の実施形態に係る記録媒体たる再生専用の光ディスク１０を表す平面図である。
再生専用の光ディスク１０は、内周１１，外周１２の間にクランピング領域１３，ＢＣＡ（Burst Cutting Area：バーストカッティング領域）１４，リードイン（Lead-IN)領域１５、データ領域１６、リードアウト（Lead-OUT)領域１７が配置される。
【００２１】
クランピング（Clamping）領域１３は、光ディスク１０をチャック等で保持するための領域である。
【００２２】
ＢＣＡ１４は、ＹＡＧレーザ等の高出力レーザ光源からレーザ光をパルス状に照射して光ディスク１０の反射層の一部を除去し、ストライプ状の一種のバーコードとしてデータが記録される領域である。この領域への書き込みには、高出力レーザ光源が必要であることから、この領域に書き込まれた情報は一般ユーザによるコピーが困難である（少なくとも、一般のディスクドライブでは書き込みができない）。
なお、再生専用の光ディスク１０においては、ＢＣＡ１４をエンボスピットで構成しても良い。再生専用の光ディスク１０をマスター版から大量生産することが容易となる。
【００２３】
本実施形態では、ＢＣＡ１４に、ボリューム識別子（Volume-ID）が記録される。ボリューム識別子（Volume-ID）は、光ディスク１０に記録されるコンテンツをアルバム単位（例えば、映画１本、音楽１曲）で示すものである。即ち、ボリューム識別子（Volume-ID）をアルバム識別子（Album-ID）と称することも可能である。
【００２４】
後述するように、ボリューム識別子（Volume-ID）は、暗号化コンテンツ（Enc-contents）を復号するための復号鍵の一つを構成する。一般ユーザによる作成、書き込みが困難なＢＣＡ１４にボリューム識別子（Volume-ID）が記録されていることで、光ディスク１０の不正コピーが防止される。即ち、光ディスク１０の他のデータが別の記録媒体にコピーされてもその記録媒体からコンテンツを再生することができない。
なお、本実施形態においてＢＣＡ１４にボリューム識別子（Volume-ID）を記録するのは、同一のコンテンツ（content）が記録された光ディスク１０の大量生産を容易とするためである（別の実施形態で説明する記録型の記録媒体ではＢＣＡ１４に記録媒体を識別するメディア識別子（Media-ID）が記録される）。
【００２５】
リードイン領域１５は光ディスク１０の管理情報が記録される領域である。なお、後述する記録可能型の光ディスク１０ａでは、この領域がエンボスピットで構成される再生専用領域（エンボス領域）と、後に記録が可能な記録可能領域とに区分される。
リードイン領域１５の再生専用領域に、メディア鍵ブロック（MKB：Media Key Block）が記録される。メディア鍵ブロック（MKB）は、暗号化コンテンツ（Enc-contents）を復号するための復号鍵の一つを構成し、再生装置側等に記録された後述のデバイス鍵（Device Key）と組み合わされ、メディア鍵（Km）の生成に用いられる。
メディア鍵ブロック（MKB）は、多くの鍵の集合体であり、コンテンツの不正コピーを防止するために設立されたＣＰ（Copy Protection）管理機構から供給される。このメディア鍵ブロック（MKB）は、秘密であるはずのデバイス鍵（Device Key）が露呈してしまったなど，その時点で無効化の対象となっているディスクドライブ等の情報を反映して作成される。そのため，無効化の対象となったディスクドライブ等は，そのメディア鍵ブロック（MKB）が記録された光ディスク１０の再生ができない。
なお、リードイン領域１５には、光ディスク１０への最適記録条件（パラメータ）やその他の光ディスク１０の製造メーカ固有の情報を記録することができる。
【００２６】
データ領域１６は、コンテンツが記録される領域である。このコンテンツは、映画などの画像データ（静止画及び動画を含む）、音楽などの音声データ、コンピュータのソフトウェアなど、著作権保護が必要なデータ一般を含むものとする。
データ領域１６には、埋込済所有データ（RP-Data+MM）および暗号化タイトル鍵（Enc-TK）が記録される。但し、リードイン領域１５に余裕があれば、埋込済所有データ（RP-Data+MM）および暗号化タイトル鍵（Enc-TK）をこの領域に記録してもよい。
暗号化タイトル鍵（Enc-TK）は、暗号化コンテンツ（Enc-contents）を復号するためのタイトル鍵（Kt）を暗号化したものである。
埋込済所有データ（RP-Data+MM）は、所有データ（RP-Data: Replicator Proprietary Data）にメディアマーク（MM：Media Mark）が電子透かしのような秘匿情報記録再生方式で埋め込まれたものである。
【００２７】
この所有データ（RP-Data）は、著作権、商標権、および周知名称等所有権の対象となるデータである。所有データ（RP-Data）が、映像、音声のデータ等著作物性を有するデータであれば、著作権の対象となる。また、所有データ（RP-Data）が商標的機能を発揮する場合に商標権の対象となり得る。商標的機能を発揮する場合として、光ディスク１０をディスクドライブ（再生装置）にセットしたときに、商標の図柄が再生される場合を挙げることができる。販売店でデモしたようなときに、結果として、所有データが顧客に商標として認識されることになるからである。
【００２８】
所有データ（RP-Data）を光ディスク１０の製造業者の所有物とすることで、製造業者の保護を図ることができる。例えば、リードイン領域１５等に、光ディスク１０の製造業者固有のデータを記録しておいた場合に、このデータを他の記録媒体にコピーする行為は必ずしも法的に禁止できるとは限らない（このデータに著作物性がない場合、保護されにくい）。これに対して、所有データ（RP-Data）のコピー等は、著作権侵害、商標権侵害、あるいは不正競争防止法に基づく不法行為として法的責任を追及することができ、記録媒体製造業者の保護を図れる。
【００２９】
メディアマーク（MM）は、暗号化コンテンツ（Enc-contents）を復号するための復号鍵の一つを構成する。メディアマーク（MM）は、所有データ（RP-Data）に埋め込まれていることから、第３者が埋込済所有データ（RP-Data+MM）から分離することが困難であり、コンテンツのコピー防止が図られる。
リードアウト領域１７はデータ領域１６の終了等を表す情報が記録される領域である。
【００３０】
Ｂ．記録媒体へのコンテンツの記録
図２は、光ディスク１０にコンテンツを記録する手続きを示した図である。
著作権者２０およびＣＰ管理機構３０から供給されるデータを用いて、ディスク書込装置４０がコンテンツ（contents）を暗号化して暗号化コンテンツ（Enc-contents）として光ディスク１０に書き込む。
なお、著作権者２０およびＣＰ管理機構３０は、個人、あるいは団体であり、それ自体は物ではない。
【００３１】
著作権者２０は、タイトル鍵（TK）およびコンテンツ（content）を記録媒体製造業者に供給する。
ＣＰ管理機構３０は、メディア鍵（Km）およびメディア鍵ブロック（MKB）をディスク製造業者に供給する。メディア鍵ブロック（MKB）は、MKB生成処理部３１によって、デバイス鍵（Device key）群およびメディア鍵（Km）から生成される。
【００３２】
ボリューム識別子（Volume-ID）、所有データ（RP-Data）、およびメディアマーク（MM）は、ディスク製造業者によって適宜に決定され、ディスク書込装置４０に記憶される。
メディア鍵ブロック（MKB）は、ディスク書込装置４０によって光ディスク１０のリードイン領域１５に記録される。
ボリューム識別子（Volume-ID）は、ディスク書込装置４０によってＢＣＡ１４に記録される。
【００３３】
第１鍵生成処理部４１において、メディア鍵（Km）およびボリューム識別子（Volume-ID）から第１固有メディア鍵（Kum1）が生成される。生成された第１固有メディア鍵（Kum1）とメディアマーク（MM）信号が第２鍵生成処理部４２に送られて第２固有メディア鍵（Kum2）が生成される。
【００３４】
暗号化処理部４４において、この第２固有メディア鍵（Kum2）によってタイトル鍵（TK）は暗号化され暗号化タイトル鍵（Enc-TK）が生成される。生成された暗号化タイトル鍵（Enc-TK）は、ディスク書込装置４０によってデータ領域１６に記録される。
暗号化処理部４５において、コンテンツ（content）が暗号化前のタイトル鍵（TK）で暗号されて暗号化コンテンツ（Enc-contents）が生成される。生成された暗号化コンテンツ（Enc-contents）は、ディスク書込装置４０によってデータ領域１６に記録される。
【００３５】
メディアマーク埋込処理部４３において、所有データ（RP-Data）にメディアマーク（MM）が埋め込まれ、埋込済所有マーク（RP-Data＋MM）が生成される。生成された埋込済所有マーク（RP-Data＋MM）は、ディスク書込装置４０によってデータ領域１６に記録される。
なお、所有データ（RP-Data）へのメディアマーク（MM）の埋め込みの詳細は後述する。
【００３６】
Ｃ．記録媒体からのコンテンツの再生
図３は、光ディスク１０を再生して、暗号化コンテンツ（Enc-contents）を復号化する手続きを示した図である。ここでは、コンピュータのようなシステムを用いて光ディスク１０を再生する場合の構成を示してある。即ち、光ディスク読取装置５０でデータを読出し、ＡＶ（Audio Visual）デコーダモジュール６０が暗号化コンテンツ（Enc-contents）を復号化する。
【００３７】
光ディスク読取装置５０は、光ディスク１０からのデータの読み取りを行う、例えば、ＤＶＤドライブである。ＡＶデコーダモジュール６０は、例えば、コンピュータに接続して用いられるＡＶデコーダボードであり、再生されたコンテンツ(content)を出力する。
【００３８】
光ディスク読取装置５０とＡＶデコーダモジュール６０それぞれの認証処理部５１，６１の間で相互に認証が行われる。この認証は後述の暗号化処理部５２〜５４，復号化処理部６２〜６４での暗号、復号方式を決定するために行われる。
光ディスク読取装置５０、ＡＶデコーダモジュール６０間で鍵情報を暗号化して送受信することで、鍵情報等の流出が防止される。
【００３９】
この暗号、復号方式は、認証処理部５１，６１それぞれから乱数を相互に交換することで決定することができる。決められた暗号、復号方式は認証処理部５１，６１それぞれから、暗号化処理部５２〜５４，復号化処理部６２〜６４に送り、光ディスク読取装置５０から鍵情報を暗号化して送り、ＡＶデコーダモジュール６０で復号することが可能となる。
なお、認証で決定された暗号・復号の方式を所定時間内に限定して利用可能とすると、鍵情報等の流出がより強力に防止できる。また、この認証にＡＶデコーダモジュール６０に記憶されているデバイス鍵セット（Device Key Set）等を用いると、不正な機器の利用防止に有用である。
【００４０】
認証後に、光ディスク読取装置５０は、光ディスク１０のリードイン領域１５およびＢＣＡ１４それぞれからメディア鍵ブロック（MKB）およびボリューム識別子（Volume-ID）を読出し、ＡＶデコーダモジュール６０に伝送する。この伝送に際して、メディア鍵ブロック（MKB）およびボリューム識別子（Volume-ID）は暗号化処理部５２、５３で暗号化されて出力され、復号化処理部６２、６３で復号化される。光ディスク読取装置５０からの出力からメディア鍵ブロック（MKB）およびボリューム識別子（Volume-ID）が漏洩することを防止するためである。
【００４１】
また、光ディスク読取装置５０は、データ領域１６から埋込済所有データ（RP-Data+MM）を読み出し、メディアマーク分離処理部５５でメディアマーク（MM）を分離する。なお、この分離の詳細は後述する。
分離された所有データ（RP-Data）およびメディアマーク（MM）は、光ディスク読取装置５０からＡＶデコーダモジュール６０へと伝送される。このとき、メディアマーク（MM）は、暗号化処理部５４で暗号化されて出力され、復号化処理部６４で復号化される。光ディスク読取装置５０からの出力からメディアマーク（MM）が漏洩することを防止するためである。
【００４２】
さらに、光ディスク読取装置５０は、データ領域１６から暗号化タイトル鍵（Enc-TK）および暗号化コンテンツ（Enc-contents）を読み出して、ＡＶデコーダモジュール６０に伝送する。
【００４３】
ＡＶデコーダモジュール６０では次のような処理が行われる。即ち、メディア鍵ブロック処理部６５において、メディア鍵ブロック（MKB）とＡＶデコーダモジュール６０が記憶するデバイス鍵（Device Keys）からメディア鍵（Km）が生成される。また、第１鍵生成部６６において、メディア鍵（Km）とボリューム識別子（Volume-ID）から第１固有メディア鍵（Kum1）が生成される。第２鍵生成部６７において、第１固有メディア鍵（Kum1）はメディアマーク（MM）によって第２固有メディア鍵（Kum2）に変換される。
【００４４】
復号化処理部６８において、読み出された暗号化タイトル鍵（Enc-TK）は、第２固有メディア鍵（Kum2）で復号され、タイトル鍵（Kt）が生成される。復号化処理部６９において、タイトル鍵（Kt）は暗号化コンテンツ（Enc-contents）を復号化する復号鍵として使われ、平文のコンテンツ（content）が再生される。
ＡＶデコーダモジュール６０から出力される所有データ（RP-Data）は、コンピュータ等において適宜に利用可能であり、例えば、コンテンツ自体を視聴する前のディスク製造業者の商標の表示に利用できる。
【００４５】
Ｄ．所有データ（RP-Data）へのメディアマーク（MM）の埋め込み・分離
所有データ（RP-Data）へのメディアマーク（MM）の埋め込みおよび分離の詳細を説明する。後述のように、埋め込まれたメディアマーク（MM）は、光ディスク１０の通常の再生処理では消えてしまい光ディスク読取装置５０から容易に読み出されないようになっている。いわば、埋め込まれたメディアマーク（MM）は「消える電子透かし」といってよい。
【００４６】
図４は、エラーパターンを利用してメディアマーク（MM）を埋め込む手続きを示した図である。
また、図５〜８は、図４の手続き中でのデータの状態を表す模式図である。
メディア鍵ブロック（MKB）やコンテンツ（content）及び所有データ（RP-Data）は主情報（M-Data）として、セクタIDやその他補助データＲＳＢ（Reserv）等と共にＥＤＣ(Error Detection Code)生成部R０２に送られ、ＥＤＣが生成される。このとき、データはセクタ化され、データセクタとなっている。
【００４７】
図５は、データセクタの構成を示す模式図である。
データセクタは、（１行＝１７２バイト）×１２行で構成されている。先頭行には、セクタ番号、セクタ情報から構成されるセクタ識別子（ID）が配置され、続いてＩＤ誤り検出符号（IED）、補助データ（RSB）、その後に２Kバイトのメインデータ領域がある。最後の行の最後には、メインデータのための誤り検出コード（EDC）が付加されている。
【００４８】
スクランブル部Ｒ０３で、主情報（M-Data）はスクランブルされる。このデータスクランブルは、主情報（M-Data）が「オール“0”」のような場合でも、記録データが同じパターンの繰り返しとならないために行われる。光ディスク１０において隣接トラックのクロストーク等によって、トラッキングサーボエラー信号が正確に検出出来ないなどの不具合が発生する懸念があるためである。
【００４９】
１６データフレーム集合部Ｄ０３１で１６組のデータフレームが集合されて、PO/PI生成部Ｒ０５で誤り訂正符号PO（外符号）/PI（内符号）が生成される。この結果、主情報（M-Data）は、１６セクタ単位でＥＣＣ（エラー訂正コード）ブロック化される。即ち、所有データ（RP-Data）は、誤り訂正符号が生成付加されたＥＣＣブロックとなる。
【００５０】
メディアマーク用誤り訂正符号生成部Ｒ１１において、メディアマーク（MM）からメディアマーク用誤り訂正符号（MM-Pa）が生成される。
メディアマーク加算部Ｒ１２において、ＥＣＣブロック中の所有データ（RP-Data）の一部に、メディアマーク（MM）とメディアマーク用誤り訂正符号（MM-Pa）を重畳加算する。即ち、所有データ（RP-Data）の一部とメディアマーク（MM）とを加算することで、所有データ（RP-Data）中にメディアマーク（MM）が埋め込まれ、埋込済所有データ（RP-Data+MM）が生成される。なお、このときの加算は、排他的論理和であり、「1+0=1」、「1+1=0」となる。
このようにデータ同士の演算を行うことで、復号鍵データの隠蔽を強固なものとすることができる。即ち、第３者が埋込済所有データ中から復号鍵データ自体を直接的に分離することが困難になる（所有データ（RP-Data）の一部をメディアマーク（MM）と置き換えた場合よりも隠蔽が強固）。
【００５１】
図６は、メディアマーク（MM）が埋め込まれたＥＣＣブロックを表す模式図である。
ＥＣＣブロックに対して、各列（縦方向）に対して１６バイト（１バイト＝１行とする）の外符号ＰＯが生成され、各行（横方向）に対して１０バイトの内符号ＰＩが生成されている。１６行（１６バイト）の外符号ＰＯは、１２行毎（各セクタ）に１行（バイト）ずつが分散配置される。
ここでは、メディアマーク（MM）が分散して埋め込まれ、メディアマーク（MM）の秘匿性の向上を図っている。また、メディアマーク（MM）信号埋め込み場所は、所有データ（RP-Data）の特定場所に配置された埋め込み位置情報によって示される。
このとき、メディアマーク（MM）の埋め込み場所をある関数で決定し、埋め込み位置情報はその関数に入力するデータとして利用することができる。このような方式によって所有データ（RP-Data）の内容によってメディアマーク（MM）信号の埋め込み場所が異なり、安全性を高めることができる。
【００５２】
その後、ＰＯインタリーブ部Ｒ０６で外符号ＰＯがインタリーブ処理され、SYNC付加＆変調処理部Ｒ０７でSYNC（同期信号）付加と変調処理が施され、記録媒体書込部Ｒ０８によって光ディスク１０にデータが記録される。
図７はＰＯインターリーブ後のＥＣＣブロックの構成を表す模式図である。
１６行（１６バイト）の外符号ＰＯが、１２行毎（各セクタ）に１行（バイト）ずつが分散配置されている。外符号ＰＯの一部（１行）が、図５に示したセクタ（１２行）に付加されているので１２行＋１行となり、これがインターリーブされている。
【００５３】
図８は、所有データ（RP-Data）とメディアマーク（MM）信号がＥＣＣブロックでどのように配置されるかを示した模式図である。
所有データ（RP-Data）は、複数のＥＣＣブロックに分割して配置される。
メディアマーク（MM）は１つのＥＣＣブロック内に配置されている。但し、複数の物理セクタに分散して配置されている。また、メディアマーク用誤り訂正符号（MM-Pa）は、最後の物理セクタに配置されている。
このように、１つのＥＣＣブロック内にメディアマーク（MM）を配置すると、複数のＥＣＣブロックにメディアマーク（MM）を埋め込むことが容易に行え（メディアマーク（MM）の多重書き）、メディアマーク（MM）の信頼性が向上する。
【００５４】
次に、埋込済所有データ（RP-Data+MM）からのメディアマーク（MM）の分離について説明する。既述のように、メディアマーク分離処理部５５によって、埋込済所有データ（RP-Data+MM）からメディアマーク（MM）が分離される。
この分離には誤り訂正処理を利用することができる。即ち、埋込済所有データ（RP-Data+MM）に対して誤り訂正処理を行うと、その工程中でエラーパターンが検出される。このエラーパターンがメディアマーク（MM）に対応することから、エラーパターンからメディアマーク（MM）を再生できる。
また、誤り訂正処理前後の埋込済所有データ（RP-Data+MM）を比較することで、メディアマーク（MM）を再生することもできる。
本実施形態ではメディアマーク（MM）が分散して配置されているが、図６の埋め込み位置情報を用いることでエラーパターン等からメディアマーク（MM）を再生できる。
【００５５】
（第２の実施形態）
次に本発明の第２の実施形態を説明する。本実施形態では第１の実施形態と同様の光ディスク１０を用いるので、光ディスク１０自体の説明は省略する。
Ａ．記録媒体へのコンテンツの記録
図９は、光ディスク１０にコンテンツを記録する手続きを示した図である。本図は図２と対応している。
ここでは、図２の第１、第２鍵生成処理部４１，４２に換えて、鍵生成処理部４１１が配置される。また、図２の暗号化処理部４４に換えて、第１，第２暗号化処理部４４１，４４２が配置される。
【００５６】
鍵生成処理部４１１において、メディア鍵（Km）とボリューム識別子（Volume-ID）によって固有メディア鍵（Kum）が生成される。
第１暗号化処理部４４１において、この固有メディア鍵（Kum）によってタイトル鍵（Kt）が暗号化され暗号化タイトル鍵（Enc-TK）となる。更に第２暗号化処理部４４２において、メディアマーク（MM）によって暗号化タイトル鍵（Enc-TK）がカスケードに暗号化され多重暗号化タイトル鍵（Enc.Enc-TK）が生成される。生成された多重暗号化タイトル鍵（Enc.Enc-TK）は、光ディスク１０に記録される。
なお、メディアマーク（MM）が所有データ（RP-Data）に電子透かし技術で埋め込まれて記録される手段は、第１の実施形態と同様である。
この構成で、メディアマーク（MM）信号をディスクドライブ（光ディスク読取装置５０ａ）内に閉じ込めることが可能である。その説明は後述する。
【００５７】
Ｂ．記録媒体からのコンテンツの再生
図１０は、図９に示した方式で記録された光ディスク１０を再生して、暗号化コンテンツ（Enc-contents）を復号化する手順を示した図であり、図３と対応する。
ここでは、図３の第１、第２鍵生成処理部６６，６７に換えて、鍵生成処理部６６１が配置される。また、図３の復号化処理部６８に換えて、第１，第２暗号化処理部５４１，６８１が配置される。
【００５８】
光ディスク読取装置５０ａによって光ディスク１０から埋込済所有データ（RP-Data+MM）が読み出され、メディアマーク分離処理部５５でメディアマーク（MM）が分離される。
光ディスク読取装置５０ａによって光ディスク１０から読み出された多重暗号化タイトル鍵（Enc・Enc-TK）は第１復号化処理部５４１で復号されて暗号化タイトル鍵（Enc-TK）が生成され、ＡＶデコーダモジュール６０ａに送られる。
【００５９】
ＡＶデコーダモジュール６０ａでは、鍵生成処理部６６１において、メディア鍵（Km）およびボリューム識別子（Volume-ID）から固有メディア鍵（Kum）を生成する。第２復号化処理部６８１において、この固有メディア鍵（Kum）によって暗号化タイトル鍵（Enc-TK）を復号しタイトル鍵（Kt）を生成する。
暗号化コンテンツ（Enc-contents）は、このタイトル鍵（Kt）で復号され、平文のコンテンツ（contents）が再生される。
【００６０】
以上から判るように、埋込済所有データ（RP-Data+MM）から分離されたメディアマーク（MM）は、光ディスク読取装置５０ａ内でのみ用いられ、ＡＶデコーダモジュール６０ａに出力する必要がない。即ち、光ディスク読取装置５０ａから読み出されるデータからメディアマーク（MM）が含まれることがないので、第３者がメディアマーク（MM）を読み取り、これを利用して暗号化コンテンツ（Enc-contents）を復号することを防止できる。
【００６１】
（第３の実施形態）
次に本発明の第３の実施形態を説明する。本実施形態では光ディスクにユーザからの記録が可能な記録再生媒体を用いる。
Ａ．記録媒体
図１１は、本発明の第３の実施形態に係る記録媒体たる記録可能の光ディスク１０ａを表す平面図であり、図１と対応する。
光ディスク１０ａは、内周１１，外周１２の間にクランピング領域１３，ＢＣＡ（Burst Cutting Area：バーストカッティング領域）１４，リードイン（Lead-IN)領域１５、記録済領域１６１、未記録領域１６２、リードアウト（Lead-OUT)領域１７が配置される。即ち、図１のデータ領域１６に換えて記録済領域１６１、未記録領域１６２が配置されている。なお、記録済領域１６１および未記録領域１６２の双方を併せて記録領域と呼ぶこととする。
【００６２】
ＢＣＡ１４に、図１のボリューム識別子（Volume-ID）に換えて、光ディスク１０ａそれぞれを識別するためのメディア識別子（Media-ID）が配置される。
リードイン領域１５には、メディア鍵ブロック（MKB）に加えて、埋込済所有データ（RP-Data+MM）が記録される。埋込済所有データ（RP-Data+MM）の記録箇所が図１と異なるのは、光ディスク１０ａの記録済領域１６１、未記録領域１６２がユーザによる記録が予定されていることによる。
【００６３】
埋込済所有データ（RP-Data+MM）に含まれる所有データ（RP-Data）に記録媒体製造メーカの所有権がある商標図柄などのファイルを用いることで、光ディスク１０ａの不法コピーへの対応がより容易となる。即ち、埋込済所有データ（RP-Data+MM）または所有データ（RP-Data）、あるいは光ディスク１０ａそのものをそのままコピーして同様の記録再生媒体を製造する行為に対して著作権、商標権、不正競争防止法等を適用することが容易となる。
【００６４】
Ｂ．記録媒体の製造
光ディスク１０ａは、その製造は記録媒体の製造業者が行うが、データの記録は一般ユーザが行うことを予定している。このため、光ディスク１０ａの製造時およびコンテンツの記録時に区分して説明する。
【００６５】
図１２は、製造時において、光ディスク１０ａにデータを記録する手続きを示した図である。
ＣＰ管理機構３０は、メディア鍵ブロック（MKB）をディスク製造業者に供給する。メディア鍵ブロック（MKB）は、MKB生成処理部３１によって、デバイス鍵（Device key）群およびメディア鍵（Km）から生成される。
メディア識別子（Media-ID）、所有データ（RP-Data）、およびメディアマーク（MM）は、ディスク製造業者によって適宜に決定され、ディスク書込装置４０ｂに記憶される。
メディア鍵ブロック（MKB）は、ディスク書込装置４０ｂによって光ディスク１０のリードイン領域１５に記録される。
メディア識別子（Media-ID）は、ディスク書込装置４０ｂによってＢＣＡ１４に記録される。
メディアマーク埋込処理部４３において、所有データ（RP-Data）およびメディアマーク（MM）から生成された埋込済所有マーク（RP-Data＋MM）は、ディスク書込装置４０ｂによってリードイン領域１５に記録される。
【００６６】
Ｃ．記録媒体へのコンテンツの記録
図１３は、光ディスク１０ａにコンテンツを記録する手続きを示した図である。
光ディスク１０ａに光ディスク書込装置７０ａおよびＡＶエンコードモジュール８０ａを用いてコンテンツ（contents）を暗号化して記録する。
【００６７】
光ディスク書込装置７０ａとＡＶエンコーダモジュール８０ａそれぞれの認証処理部７１ａ，８１ａの間で相互に認証が行われる。この認証は後述の暗号化処理部７２ａ〜７４ａ，復号化処理部８２ａ〜８４ａでの暗号、復号方式を決定するために行われる。
光ディスク書込装置７０ａ、ＡＶエンコーダモジュール８０ａ間で鍵情報を暗号化して送受信することで、鍵情報等の流出が防止される。
【００６８】
認証後に、光ディスク書込装置７０ａは、光ディスク１０ａのリードイン領域１５およびＢＣＡ１４それぞれからメディア鍵ブロック（MKB）およびメディア識別子（Media-ID）を読出し、ＡＶエンコーダモジュール８０ａに伝送する。この伝送に際して、メディア鍵ブロック（MKB）およびメディア識別子（Media-ID）は暗号化処理部７２ａ、７３ａで暗号化されて出力され、復号化処理部８２ａ、８３ａで復号化される。メディア鍵ブロック（MKB）およびメディア識別子（Media-ID）が漏洩することを防止するためである。
【００６９】
また、光ディスク書込装置７０ａは、リードイン領域１５から埋込済所有データ（RP-Data+MM）を読み出し、メディアマーク（MM）分離部７５ａでメディアマーク（MM）を分離する。分離された所有データ（RP-Data）およびメディアマーク（MM）は、光ディスク書込装置７０ａからＡＶエンコーダモジュール８０ａへと伝送される。このとき、メディアマーク（MM）は、暗号化処理部７１ａで暗号化されて出力され、復号化処理部８４ａで復号化される。光ディスク書込装置７０ａからの出力からメディアマーク（MM）が漏洩することを防止するためである。
【００７０】
ＡＶエンコーダモジュール８０ａでは次のような処理が行われる。即ち、メディア鍵ブロック（MKB）処理部８５ａにおいて、メディア鍵ブロック（MKB）とＡＶエンコーダモジュール８０ａが記憶するデバイス鍵（Device Keys）からメディア鍵（Km）が生成される。また、第１鍵生成部８６ａにおいて、メディア鍵（Km）とメディア識別子（Media-ID）から第１固有メディア鍵（Kum1）が生成される。第２鍵生成部８７ａにおいて、第１固有メディア鍵（Kum1）はメディアマーク（MM）によって第２固有メディア鍵（Kum2）に変換される。
【００７１】
タイトル鍵発生部９０ａからタイトル鍵(Tk)が発生、出力される。このタイトル鍵発生部９０ａには乱数発生器を用いることができる。
暗号化処理部８８ａにおいて、タイトル鍵（Kt）を第２固有メディア鍵（Kum2）で暗号化することで、暗号化タイトル鍵（Enc-TK）を生成し、光ディスク書込装置７０ａによって光ディスク１０ａの記録領域に書き込む。
一方、  暗号化処理部８９ａにおいて、タイトル鍵（Kt）によってコンテンツ（content）を暗号化し、暗号化コンテンツ（Enc-contents）を生成し、光ディスク書込装置７０ａによって光ディスク１０ａの記録領域に書き込む。
所有データ（RP-Data）は、コンピュータ等において適宜に利用可能であり、例えば、光ディスク１０ａの設置時のディスク製造業者の商標の表示に利用できる。
【００７２】
Ｄ．記録媒体からのコンテンツの再生
図１４は、光ディスク１０ａを再生して、暗号化コンテンツ（Enc-contents）を復号化する手順を示した図である。ここでは、コンピュータのようなシステムを用いて光ディスク１０を再生する場合の構成を示してある。即ち、光ディスク読取装置５０ｂでデータを読出し、ＡＶ（Audio Visual）デコーダモジュール６０ｂが暗号化コンテンツ（Enc-contents）を復号化する。
図１４に示した処理内容は、ボリューム識別子（Volume-ID）がメディア識別子（Media-ID）と置き換わった程度で、図３と処理内容が近似する。このため、図１４の詳細な説明は省略する。
【００７３】
（第４の実施形態）
次に本発明の第４の実施形態を説明する。本実施形態では用いる光ディスク１０ａの構成、その製造の手続きは、第３の実施形態と同様である。このため、記録媒体へのコンテンツの記録および再生のみを説明する。
Ａ．記録媒体へのコンテンツの記録
図１５は、光ディスク１０ａにコンテンツ（contents）を暗号化して記録する手順を示した図であり、図１３に対応する。
ここでは、図１３の第１、第２鍵生成処理部８６ａ，８７ａに換えて、鍵生成処理部８６ｂが配置される。また、図１３の暗号化処理部８８ａに換えて、第１，第２暗号化処理部８８ｂ、７６ｂが配置される。
【００７４】
鍵生成処理部８６ｂにおいて、メディア鍵（Km）とメディア識別子（Media-ID）によって固有メディア鍵（Kum）を生成する。
第１暗号化処理部８８ｂにおいて、この固有メディア鍵（Kum）によってタイトル鍵（Kt）が暗号化され暗号化タイトル鍵（Enc-TK）となる。更に第２暗号化処理部７６ｂにおいて、メディアマーク（MM）によって暗号化タイトル鍵（Enc-TK）が暗号化され多重暗号化タイトル鍵（Enc.Enc-TK）が生成される。生成された多重暗号化タイトル鍵（Enc.Enc-TK）は、光ディスク１０ａに記録される。
このような構成では、メディアマーク（MM）信号をドライブ内に閉じ込めることが可能になる。その説明は後述する。
【００７５】
Ｂ．記録媒体からのコンテンツの再生
図１６は、図１５に示した方式で記録された光ディスク１０を再生して、暗号化コンテンツ（Enc-contents）を復号化する手順を示した図であり、図１４と対応する。
ここでは、図１４の第１、第２鍵生成処理部６６ｂ、６７ｂに換えて、鍵生成処理部６６ｃが配置される。また、図１４の復号化処理部６８ｂに換えて、第１，第２復号化処理部５６ｃ，６８ｃが配置される。
【００７６】
光ディスク読取装置５０ｃによって光ディスク１０ａから埋込済所有データ（RP-Data+MM）が読み出され、メディアマーク分離処理部５５ｃでメディアマーク（MM）が分離される。
光ディスク読取装置５０ｃによって光ディスク１０ａから読み出された多重暗号化タイトル鍵（Enc・Enc-TK）は第１復号化処理部５６ｃで復号されて暗号化タイトル鍵（Enc-TK）が生成され、ＡＶデコーダモジュール６０ｃに送られる。
【００７７】
ＡＶデコーダモジュール６０ｃでは、鍵生成処理部６６ｃにおいて、メディア鍵（Km）およびボリューム識別子（Volume-ID）から固有メディア鍵（Kum）を生成する。第２復号化処理部６８ｃにおいて、この固有メディア鍵（Kum）によって暗号化タイトル鍵（Enc-TK）を復号しタイトル鍵（Kt）を生成する。
暗号化コンテンツ（Enc-contents）は、このタイトル鍵（Kt）で復号され、平文のコンテンツ（contents）が再生される。
【００７８】
以上から判るように、埋込済所有データ（RP-Data+MM）から分離されたメディアマーク（MM）は、光ディスク読取装置５０ｃ内でのみ用いられ、ＡＶデコーダモジュール６０ｃに出力する必要がない。即ち、光ディスク読取装置５０ｃから読み出されるデータからメディアマーク（MM）が含まれることがないので、第３者がメディアマーク（MM）を読み取り、これを利用して暗号化コンテンツ（Enc-contents）を復号することを防止できる。
【００７９】
（第５の実施形態）
次に本発明の第５の実施形態を説明する。本実施形態ではメディアマーク（MM）の埋め込み方式のみが他の実施形態と異なる。なお、本実施形態は、光ディスク１０への記録を行う場合を表すが、これに換えて光ディスク１０ａを用いても差し支えない。
【００８０】
図１７は、メディアマーク（MM）の埋め込み方式として、特殊変調方式を導入した場合の手順を表し、図４に対応する。
PO/PI生成部Ｒ０５で誤り訂正符号PO（外符号）/PI（内符号）が生成され、所有データ（RP-Data）が誤り訂正符号が生成付加されたＥＣＣブロックとなるまでは図４と同様である。ここで、PO/PI生成部Ｒ０５から出力されたＥＣＣブロックはそのままＰＯインタリーブ部Ｒ０６でPOがインタリーブ処理され、SYNC付加＆変調処理部Ｒ０７で同期信号SYNC（同期信号）付加と変調処理が施される。
【００８１】
メディアマーク用誤り訂正符号生成部Ｒ１１において、メディアマーク（MM）からメディアマーク用誤り訂正符号（MM-Pa）が生成され、その後に変調部Ｒ１３で変調処理が施される。
以上のように、所有データ（RP-Data）とメディアマーク（MM）とが別個に変調される。即ち、メディアマーク（MM）は主情報（M-Data）一般と異なる変調方式で変調される。
その後に、メディアマーク置換部Ｒ１４において、所有データ（RP-Data）の変調記録信号の一部をメディアマーク（MM）およびメディアマーク用誤り訂正符号（MM-Pa）の変調器録信号で置換して、記録信号を生成し、光ディスク１０に記録する。
メディアマーク（MM）の変調方式を主情報（M-Data）と異ならせることで、仮にメディアマーク（MM）の埋め込み位置が判明した場合でも、第３者がメディアマーク（MM）を入手することが防止される。
【００８２】
図１８は図１７に示した特殊変調方式を利用してメディアマーク（MM）信号を埋めこんだ場合の物理セクタ（Physical sector）を示す模式図である。
３２＋１４５６チャネルビットの「ＳＹＮＣフレーム」２組で１行が構成される。例えば、図１８の第1行目は、ＳＹ０，ＳＹ５がシンクフレームである。このような行が２６個集合されることで物理セクタが構成されている。
ここでは、メディアマーク（MM）は、ＳＹ３のフレームに埋め込まれている。
【００８３】
（第６の実施形態）
次に本発明の第６の実施形態を説明する。本実施形態では第５の実施形態と同様に、メディアマーク（MM）は主情報（M-Data）一般と異なる変調方式で変調される。
図１９は、メディアマーク（MM）の埋め込み方式として、特殊変調方式を導入した場合の手順を表し、図１７に対応する。また、図２０は、図１９の工程の詳細を表す図であり、主情報（M-data）に制御データ（Control-Da）が含まれることや、データフレームＤ０２等を明示していることを除き、行われている処理内容は実質的に同一である。
【００８４】
ここでは、メディアマーク用誤り訂正符号（MM-Pa）を、主情報（M-data）である所有データ（RP-Data）の一部として追加している。このようにすることで、次のようなメリットが得られる。
即ち、メディアマーク（MM）を埋め込むことで主情報側に一種の誤りが発生する。このため、メディアマーク用誤り訂正符号（MM-Pa）を主情報側に追加することで、主情報へのメディアマーク（MM）の埋め込み量の低減を図っている。
【００８５】
しかも、メディアマーク用誤り訂正符号（MM-Pa）をも含めた主情報に誤り訂正符号を付与することで、メディアマーク用誤り訂正符号（MM-Pa）自体の信頼性を向上できる。
即ち、再生時に、主情報に誤り訂正処理を施して、メディアマーク用誤り訂正符号（MM-Pa）自体の誤りを訂正することができる。そして、このメディアマーク用誤り訂正符号（MM-Pa）を使ってメディアマーク（MM）の誤り訂正処理を行える。
以上のように、メディアマーク用誤り訂正符号（MM-Pa）を主情報側に追加すると、メディアマーク（MM）とメディアマーク用誤り訂正符号（MM-Pa）の双方を埋め込む場合に比べて、メディアマーク（MM）の信頼性が向上する。
なお、メディアマーク用誤り訂正符号（MM-Pa）が主情報に組み入れられ外部に漏れても、これのみではメディアマーク（MM）を再現することは困難であることから、その秘匿性が大きく低下することもない。
【００８６】
（第７の実施形態）
次に本発明の第７の実施形態を説明する。
本実施形態では、所有データ（RP-Data）内の図柄情報内にウォータマーク（ＷＭ：Water Mark）を埋め込む。今まで説明してきたメディアマーク(MM)は、基本的に光ディスク読取装置から出力されない、即ち、コピーされない電子透かし情報であった。ここでは、ウォータマーク（WM）は、光ディスク読取装置から出力され、光ディスク１０内の通常のデータと同様にコピーされる電子透かし情報といえる。
【００８７】
図２１は、所有データ（RP-Data）内の図柄情報内にウォータマーク（ＷＭ）を埋め込むことで、埋込済所有データ（RP-Data＋ＷＭ）を生成する工程を表している。
このウォータマーク（ＷＭ）は、コピー可能であるが、光ディスク１０を視聴したときに認識されにくいものとする。即ち、ここでいうウォータマーク（ＷＭ）は基本的に不可視であり、図２１の埋込済所有データ（RP-Data＋ＷＭ）の絵柄にウォータマーク（ＷＭ）の図柄が視認できる形では表れないものとする。
【００８８】
このように、不可視のウォータマーク（ＷＭ）を埋め込んでおくと、所有データ（RP-Data）をコピーしたときにそれと判らずウォータマーク（ＷＭ）もコピーされる。この結果、所有データ（RP-Data）がコピーされた場合にその追跡調査が容易になる。
【００８９】
図２２，２３は、メディアマーク（MM）とウォータマーク（ＷＭ）を併用して、コンテンツの暗号、復号を行う手続きを表した図であり、それぞれ図２，３と対応する。この場合ウォータマーク（ＷＭ）は図２１のようなイメージ情報というよりは、暗号鍵として用いられる。
メディア鍵ブロック（MKB）、ボリューム識別子（Volume-ID）、メディアマーク（MM）で第２固有メディア鍵（Kum2）生成されることは図２と同様である。
【００９０】
図２２には、図２に第３鍵生成処理部４６，ウォータマーク埋込処理部４７が追加されている。第２固有メディア鍵（Kum2）をウォータマーク（ＷＭ）によって第３固有メディア鍵（Kum3）に変換し、これを用いてタイトル鍵(Tk)を暗号化している。また、埋込済所有データ（RP-Data+MM）にさらにウォータマーク（ＷＭ）が埋め込まれ、多重埋込済所有データ（RP-Data+MM＋ＷＭ）として光ディスク１０に記録される。
【００９１】
図２３には、図３にウォータマーク分離処理部６９１および第３鍵生成処理部６９２が追加されている。多重埋込済所有データ（RP-Data+MM+ＷＭ）からメディアマーク分離処理部５５でメディアマーク（MM）が分離されて埋込済所有データ（RP-Data+ＷＭ）が生成される。さらに、ウォータマーク分離処理部６９１によって埋込済所有データ（RP-Data+ＷＭ）からウォータマーク（ＷＭ）が分離される。そして、第２固有メディア鍵（Kum2）をウォータマーク（ＷＭ）によって第３固有メディア鍵（Kum3）に変換し、これを用いてタイトル鍵(Tk)を復号化している。
【００９２】
なお、メディアマーク（MM）とウォータマーク（ＷＭ）を同一としたり、または或る関係式が成り立つ関係にしたりしておき、両者の比較によって違法コピーを検出することが可能である。
即ち、メディアマーク（MM）とウォータマーク（ＷＭ）との間に何らかの関連付けを行っておくと、そのいずれか（またはその一部）が欠落した光ディスク１０をコピー品と判断することが可能となる。既述のように、通常はメディアマーク（MM）をコピー困難としていることから、光ディスク１０からデータをコピーしたときにウォータマーク（ＷＭ）がコピーされ、メディアマーク（MM）は欠落する。このように、メディアマーク（MM）とウォータマーク（ＷＭ）が対応して記録されている光ディスク１０をコピーした場合には、この対応関係が崩れる可能性が大きい。
【００９３】
（その他の実施形態）
以上のように、上記実施形態では、所有データ（RP-Data）、例えば、記録媒体製造者の所有権がある標章などのデータファイルに、消える電子透かし（メディアマーク（MM））や消えない電子透かし（ウォータマーク（ＷＭ））を埋め込むことで、記録媒体に記録されたコンテンツおよび記録媒体自体を保護することができる。
本発明の実施形態は上記の実施形態に限られず拡張、変更可能であり、拡張、変更した実施形態も本発明の技術的範囲に含まれる。
【図面の簡単な説明】
【００９４】
【図１】本発明の第１の実施形態に係る光ディスクを表す平面図である。
【図２】本発明の第１の実施形態に係る光ディスクにコンテンツを記録する手続きを示した図である。
【図３】本発明の第１の実施形態に係る光ディスクからコンテンツを再生する手続きを示した図である。
【図４】エラーパターンを利用してメディアマークを埋め込む手続きを示した図である。
【図５】図４の手続き中でのデータの状態を表す模式図である。
【図６】図４の手続き中でのデータの状態を表す模式図である。
【図７】図４の手続き中でのデータの状態を表す模式図である。
【図８】図４の手続き中でのデータの状態を表す模式図である。
【図９】本発明の第２の実施形態に係り、光ディスクにコンテンツを記録する手続きを示した図である。
【図１０】本発明の第２の実施形態に係り、光ディスクからコンテンツを再生する手続きを示した図である。
【図１１】本発明の第３の実施形態に係る光ディスクを表す平面図である。
【図１２】本発明の第３の実施形態に係る光ディスクの製造時において、データを記録する手続きを示した図である。
【図１３】本発明の第３の実施形態に係る光ディスクにコンテンツを記録する手続きを示した図である。
【図１４】本発明の第３の実施形態に係る光ディスクからコンテンツを再生する手続きを示した図である。
【図１５】本発明の第４の実施形態に係り、光ディスクにコンテンツを記録する手続きを示した図である。
【図１６】本発明の第４の実施形態に係り、光ディスクからコンテンツを再生する手続きを示した図である。
【図１７】本発明の第５の実施形態に係り、特殊変調方式を利用してメディアマークを埋め込む手続きを示した図である。
【図１８】本発明の第５の実施形態に係り、特殊変調方式を利用してメディアマーク（MM）信号を埋めこんだ場合の物理セクタを示す模式図である。
【図１９】本発明の第６の実施形態に係り、特殊変調方式を利用してメディアマーク（MM）信号を埋めこむ手続きを示す図である。
【図２０】本発明の第６の実施形態に係り、図１９の詳細を示す模式図である。
【図２１】所有データ内の図柄情報内にウォータマークを埋め込むことで、埋込済所有データを生成する工程を表している。
【図２２】メディアマークとウォータマークを併用して、コンテンツの暗号化を行う手続きを表した図である。
【図２３】メディアマークとウォータマークを併用して、コンテンツの復号化を行う手続きを表した図である。
【符号の説明】
【００９５】
１０…光ディスク、１１…内周、１２…外周、１３…クランピング領域、１４…ＢＣＡ、１５…リードイン領域、１６…データ領域、１７…リードアウト領域、４０…ディスク書込装置、４１…第１鍵生成処理部、４２…第２鍵生成処理部、４３…メディアマーク埋込処理部、４４，４５…暗号化処理部、５０…光ディスク読取装置、５１…認証処理部、５２〜５４…暗号化処理部、５５…メディアマーク分離部、６０…ＡＶデコーダモジュール、６１…認証処理部、６２〜６４…復号化処理部、６５…メディア鍵ブロック処理部、６６…第１鍵生成処理部、６７…第２鍵生成処理部、６８，６９…復号化処理部
【図１】
2005196926.tif 000003
【図２】
2005196926.tif 000004
【図３】
2005196926.tif 000005
【図４】
2005196926.tif 000006
【図５】
2005196926.tif 000007
【図６】
2005196926.tif 000008
【図７】
2005196926.tif 000009
【図８】
2005196926.tif 000010
【図９】
2005196926.tif 000011
【図１０】
2005196926.tif 000012
【図１１】
2005196926.tif 000013
【図１２】
2005196926.tif 000014
【図１３】
2005196926.tif 000015
【図１４】
2005196926.tif 000016
【図１５】
2005196926.tif 000017
【図１６】
2005196926.tif 000018
【図１７】
2005196926.tif 000019
【図１８】
2005196926.tif 000020
【図１９】
2005196926.tif 000021
【図２０】
2005196926.tif 000022
【図２１】
2005196926.tif 000023
【図２２】
2005196926.tif 000024
【図２３】
2005196926.tif 000025